(57)【要約】【課題】ハーネスラグのがたつきを抑えながら、側カバーの側板に対する位置決めを確実に行う。【解決手段】第１ハーネスラグ７０は、第１側板１１ａに形成された第１凹部７１ａと第１側カバー１３ａに形成された第２凹部７１ｂとで囲まれる装着凹部に、下部の本体部７２ａが係合するようになっている。ここでは、略円板状の第１側カバー１３ａを略円筒状の第１側板１１ａに装着するときには、第１側板１１ａに形成された第１凹部７１ａと第１側カバー１３ａに形成された第２凹部７１ｂとで囲まれる装着凹部に、第１ハーネスラグ７０の下部の本体部７２ａを係合させることによって、第１ハーネスラグ７０が第１側カバー１３ａ及び第１側板１１ａの両方に対してがたつきが発生しにくくなり、このため、第１側カバー１３ａの第１側板１１ａに対する位置決めを確実に行うことができる。【選択図】図３
2008295329.tif 000002
【特許請求の範囲】
【請求項１】
釣人と連結するためのハーネスを着脱自在に係止可能な両軸受リールであって、
釣竿が下部に取り付けられ、前記釣竿取り付け側と逆側の上部に上方及び側方が開口する第１凹部を有する略円筒状のリール本体と、
前記リール本体に対して回転自在に支持されたスプールと、
前記スプールを回転させるハンドルと、
前記ハンドル取り付け側と逆側の前記リール本体の側部を覆うように装着され、上部に上方及び前記リール本体の側部と対向する側方が前記第１凹部の開口と対向する位置に開口する第２凹部を有する略円板状の側カバーと、
前記側カバーを前記リール本体に装着したときに生成される前記第１凹部と前記第２凹部とで囲まれる装着凹部に係合する本体部と、前記本体部の上部に前記側カバー及び前記リール本体の上方に露出する位置に設けられ前記ハーネスを着脱自在に係止可能な係止部とを有するハーネスラグと、
を備えた両軸受リール。
【請求項２】
前記第１凹部または前記第２凹部に前記本体部を係合した状態で、前記本体部の開口側側部から挿入され、前記ハーネスラグを前記リール本体または前記側カバーに固定する締結部材をさらに備えている、請求項１に記載の両軸受リール。
【請求項３】
前記側カバーまたは前記リール本体には、前記側カバーを前記リール本体に装着したときに、前記締結部材の一部を収納可能な収納空間が形成されている、請求項２に記載の両軸受リール。
【請求項４】
前記側カバーを前記リール本体に装着したときに生成される前記装着凹部の外形は略矩形となるように形成され、
前記本体部は、外形が略矩形の前記装着凹部に係合可能な外形が略矩形の柱状部分である、請求項１から３のいずれか１項に記載の両軸受リール。
【請求項５】
前記係止部は、側部を貫通する略円形の貫通孔である、請求項１から４のいずれか１項に記載の両軸受リール。
【発明の詳細な説明】
【技術分野】
【０００１】
本発明は、両軸受リール、特に、釣人と連結するためのハーネスを係止可能なハーネスラグを有する両軸受リールに関する。
【背景技術】
【０００２】
両軸受リールは、一般に、釣竿に装着されるリール本体と、リール本体に回転自在に支持されたスプールと、スプールを回転させるためのハンドル組立体と、ハンドル組立体の回転をスプールに伝達する回転伝達機構とを備えている。リール本体は、左右１対の側板と、両側板を連結する複数の連結部と、両側板の外方を覆う１対の側カバーとを有している。両側板の下部に設けられた連結部には、釣竿装着用の装着脚部が取り付けられている。また、特に、トローリング用の両軸受リールでは、リール本体上部における側板と側カバーとの間の２箇所に、釣人とリール本体とを連結するためのハーネスが着脱自在に装着可能なハーネスラグが取り付けられている（たとえば、特許文献１参照）。
【０００３】
この種のハーネスラグは、それぞれリール本体上方に突出した部分に貫通孔を有する金属製の板状部材であって、これら２つの貫通孔にハーネスの一端側を係止し、ハーネスの他端側を釣人の首、肩、腰等に連結することによって、釣竿とリールの重みを釣人の体全体で支えることができる。このため、トローリング時における大物とのやり取りや、ジギングの際に釣人の腕に作用する負担が軽くなる。
【特許文献１】特開２００６−６１０１２号公報
【発明の開示】
【発明が解決しようとする課題】
【０００４】
前記従来のハーネスラグは、リール本体上部における側板と側カバーとの間に挟持され、側板及び側カバーの一側面から側板及び側カバーの他側面に向かって挿入されたねじ部材によって、リール本体にねじ止め固定されている。このようなハーネスラグは、側板に側カバーを組み立てるときに、側板及び側カバーの一方の側部平坦面にねじ止めされるようになっている。特に、外形が略円形の側板及び側カバーであるときには、側板に側カバーを組み立てる際、ハーネスラグ等の取り付け位置を合わせるために側カバーを側板に対して位置決めする必要が生じる。
【０００５】
そこで、側板及び側カバーの他方に凹部を形成し、ハーネスラグを側板及び側カバーの一方にねじ止めした状態で、ハーネスラグの下部を凹部に係合させ、側カバーを側板に装着することによって、側カバーを側板に対して位置決めすることができる。
【０００６】
しかし、ハーネスラグは、側板及び側カバーの一方の平坦面にねじ止めされているだけであるので、ハーネスラグが側板及び側カバーの一方に対してがたつきが発生することがある。このようにハーネスラグががたつくと、側カバーの側板に対する位置決めがうまく行えないおそれが生じる。
【０００７】
本発明の課題は、ハーネスラグを有する両軸受リールにおいて、ハーネスラグのがたつきを抑えながら、側カバーの側板に対する位置決めを確実に行うことにある。
【課題を解決するための手段】
【０００８】
発明１に係る両軸受リールは、釣人と連結するためのハーネスを着脱自在に係止可能な両軸受リールであって、釣竿が下部に取り付けられ釣竿取り付け側と逆側の上部に上方及び側方が開口する第１凹部を有する略円筒状のリール本体と、リール本体に対して回転自在に支持されたスプールと、スプールを回転させるハンドルと、ハンドル取り付け側と逆側のリール本体の側部を覆うように装着され上部に上方及びリール本体の側部と対向する側方が第１凹部の開口と対向する位置に開口する第２凹部を有する略円板状の側カバーと、側カバーをリール本体に装着したときに生成される第１凹部と第２凹部とで囲まれる装着凹部に係合する本体部と本体部の上部に側カバー及びリール本体の上方に露出する位置に設けられハーネスを着脱自在に係止可能な係止部とを有するハーネスラグとを備えている。
【０００９】
この両軸受リールでは、略円板状の側カバーを略円筒状のリール本体に装着するときにおいて、リール本体に形成された第１凹部と側カバーに形成された第２凹部とで囲まれる装着凹部に、ハーネスラグの下部の本体部を係合させている。具体的には、側カバーをリール本体に装着するには、たとえば、リール本体に形成された第１凹部にハーネスラグの下部の本体部の一部分を係合させてねじ止めした状態で、第２凹部が第１凹部に係合しているハーネスラグの下部の本体部と対向する位置になるように略円板状の側カバーを回転させて、側カバーに形成された第２凹部をハーネスラグの下部の本体部の開口側突出部分に係合させ、側カバーをリール本体にねじ止め固定している。あるいは、側カバーをリール本体に装着するには、たとえば、側カバーに形成された第２凹部にハーネスラグの下部の本体部の一部分を係合させてねじ止めした状態で、第１凹部が第２凹部に係合しているハーネスラグの下部の本体部と対向する位置になるように略円板状の側カバーを回転させて、ハーネスラグの下部の本体部の開口側突出部分をリール本体に形成された第１凹部に係合させ、側カバーをリール本体にねじ止め固定している。
【００１０】
ここでは、特に、略円板状の側カバーを略円筒状のリール本体に装着するときには、側カバーの側板に対する位置決めを行う必要があるが、リール本体に形成された第１凹部と側カバーに形成された第２凹部とで囲まれる装着凹部にハーネスラグの下部の本体部を係合させることによって、ハーネスラグが側板及び側カバーの両方に対してがたつきが発生しにくくなり、このため、側カバーの側板に対する位置決めを確実に行うことができる。
【００１１】
発明２に係る両軸受リールは、発明１の両軸受リールにおいて、第１凹部または第２凹部に本体部を係合した状態で、本体部の開口側側部から挿入され、ハーネスラグをリール本体または側カバーに固定する締結部材をさらに備えている。この場合、第１凹部または第２凹部にハーネスラグの下部の本体部を係合させて本体部の開口側側部から挿入されたねじ部材等の締結部材により両部材を固定することにより、ハーネスラグのリール本体または側カバーに対するがたつきを確実に抑えることができる。
【００１２】
発明３に係る両軸受リールは、発明２の両軸受リールにおいて、側カバーまたはリール本体には、側カバーをリール本体に装着したときに、締結部材の一部を収納可能な収納空間が形成されている。この場合、ねじ部材の頭部等の締結部材の一部を、たとえばリール本体または側カバーによって閉塞される収納空間に収納させることにより、ねじ部材が外部に露出するのを防止でき、このため、リール全体をコンパクトにしたり、リール外観の意匠性を向上できる。
【００１３】
発明４に係る両軸受リールは、発明１から３のいずれかの両軸受リールにおいて、側カバーをリール本体に装着したときに生成される装着凹部の外形は略矩形となるように形成されている。本体部は、外形が略矩形の装着凹部に係合可能な外形が略矩形の柱状部分である。この場合、外形が略矩形の簡素な構成で装着凹部や本体部が形成されるので、装着凹部や本体部の形成が容易になる。
【００１４】
発明５に係る両軸受リールは、発明１から４のいずれかの両軸受リールにおいて、係止部は、側部を貫通する略円形の貫通孔である。この場合、ハーネスの一端側に連結されたナスカン等の着脱が容易になる。
【発明の効果】
【００１５】
本発明によれば、ハーネスラグを有する両軸受リールにおいて、略円板状の側カバーを略円筒状のリール本体に装着するときに、リール本体に形成された第１凹部と側カバーに形成された第２凹部とで囲まれる装着凹部にハーネスラグの下部の本体部を係合させることによって、ハーネスラグが側板及び側カバーの両方に対してがたつきが発生しにくくなるので、側カバーの側板に対する位置決めを確実に行うことができる。
【発明を実施するための最良の形態】
【００１６】
本発明の一実施形態による両軸受リールは、図１及び図２に示すように、トローリング用の中型リールであって、リール本体１と、リール本体１の側方に揺動自在に配置されたドラグ操作部材２と、ドラグ操作部材２の下方でリール本体１に回転自在に支持されたハンドル３と、リール本体１の内部に配置されたスプール４とを備えている。
【００１７】
リール本体１は、フレーム１０と、フレーム１０を両側方を覆う第１及び第２側カバー１３ａ、１３ｂとを有している。フレーム１０は、左右１対の第１及び第２側板１１ａ、１１ｂと、第１及び第２側板１１ａ、１１ｂを連結する複数の連結部１２とを有している。第１及び第２側板１１ａ、１１ｂは側面視略円形の部材であり、第２側板１１ｂの径は第１側板１１ａの径より大径になるように形成されている。たとえば第２側板１１ｂの径は、第１側板１１ａの径の１１０％以上１４０％以下の範囲であり、この実施形態では第１側板１１ａの径の１１０％〜１２０％となっている。複数の連結部１２は、第１及び第２側板１１ａ、１１ｂと一体成形されており、下側の連結部１２は、図１及び図２に示すように、リールを釣竿ＲＤに装着するための前後に長い金属製の竿装着脚部７が固定されている。
【００１８】
竿装着脚部７には、釣竿ＲＤを挟むロッドクランプ８が対向して配置されている。ロッドクランプ８は、円弧部８ａと円弧部８ａの両側から延びる１対の取付部８ｂ、８ｂとを有する金属製のものである。ロッドクランプ８は、釣竿ＲＤを挟んだ状態で、第１及び第２締結具９ａ、９ｂにより下側の連結部１２に固定されている第１及び第２締結部９ａ、９ｂは、取付部８ｂ、８ｂに装着される第１及び第２締結ボルト９ｃ、９ｅと、第１及び第２締結ボルト９ｃ、９ｅがそれぞれ螺合し連結部１２にねじ込まれる第１及び第２締結ナット９ｄ、９ｆとを有している。この実施形態では、第２側板１１ｂが第１側板１１ａに比べて大径であるので、その分連結部１２の第２側板１１ｂとの連結部分が第１側板１１ａとの連結部分より釣竿ＲＤ側に下がっており、連結部１２からロッドクランプ９の取付部８ｂまでの距離が第２側板１１ｂ側が短い。このため、第１側板１１ａ側の第１締結部９ａに比べて第２側板１１ｂ側の第２締結部９ｂの長さが短くなっている。具体的には、締結ボルト９ｃ、９ｅの長さを同じであるが、締結ナット９ｄ、９ｆの長さが、第２側板１１ｂの締結ナット９ｆが第１側板１１ａ側の締結ナット９ｄより短い。
【００１９】
第１側カバー１３ａは、図１及び図２に示すように、第１側板１１ａの側方に装着される側面視略円形の部材である。第２側カバー１３ｂは、第２側板１１ｂの側方に装着される円筒部１４と、円筒部１４の軸方向外方（図２右側）に突出する膨出部１５とを有している。第１側カバー１３ａ及び円筒部１４は、それぞれ第１及び第２側板１１ａ、１１ｂと略同径の側面視略円形の部材であり、第２側カバー１３ｂの径は第１側カバー１３ａの径より大径になるように形成されている。たとえば円筒部１４の径は、第１側カバー１３ａの径の１１０％以上１４０％以下の範囲であり、本実施形態では第１側カバー１３ａの径の１１０％〜１２０％となっている。
【００２０】
また、図１から図３に示すように、第１側板１１ａ（本願発明のリール本体の一例）及び第２側板１１ｂ、第１カバー１３ａ（本願発明の側カバーの一例）及び第２側カバー１３ｂの上部には、ハーネスを着脱自在に係止可能な第１ハーネスラグ７０（本願発明のハーネスラグの一例）及び第２ハーネスラグ８０が取り付けられている。第１ハーネスラグ７０及び第２ハーネスラグ８０は、ハーネスの一端側を係止し、ハーネスの他端側を釣人の首、肩、腰等に連結することによって、釣竿ＲＤとリールの重みを釣人の体全体で支えるためのものである。
【００２１】
第１側板１１ａは、図２及び図３に示すように、上方及び第１カバー１３ａと対向する側方が開口する第１凹部７１ａ（本願発明の第１凹部の一例）を有する略円筒状の部材であり、第１カバー１３ａは、上方及び第１側板１１ａの側部と対向する側方が第１凹部７１ａの開口と対向する位置に開口する第２凹部７１ｂ（本願発明の第２凹部の一例）を有する略円板状の部材である。第１ハーネスラグ７０は、図３及び図４に示すように、第１側カバー１３ａを第１側板１１ａに装着したときに生成される第１凹部７１ａ及び第２凹部７１ｂで囲まれる装着凹部に係合する本体部７２ａ（本願発明の本体部の一例）と、本体部７２ａの上部に第１側カバー１３ａ及び第１側板１１ａの上方に露出する位置に設けられハーネスを着脱自在に係止可能な係止部７２ｂ（本願発明の係止部の一例）とを有している。また、第１凹部７１ａ及び第２凹部７１ｂは、互いに対向する部分の外形が略矩形となるように形成された略直方体形状の切り欠きであって、これら第１凹部７１ａ及び第２凹部７１ｂで囲まれる装着凹部の外形は略矩形となるように形成されている。そして、本体部７２ａは、外形が略矩形の装着凹部に係合可能な外形が略矩形の柱状部分である。また、係止部７２ｂは、側部を貫通する略円形の貫通孔である。さらに、図３及び図４に示すように、本体部７２ａの２箇所には、側部を貫通する貫通孔７２ｃが形成されており、第２凹部７１ｂに本体部７２ａを係合した状態で、本体部７２ａの開口側（図４右側）側部から貫通孔７２ｃに挿入された２本のねじ部材７３によって第１ハーネスラグ７０が第１側カバー１３ａに固定されている。また、第１側板１１ａには、第１側カバー１３ａを第１側板１１ａに装着したときに、ねじ部材７３の頭部を収納可能な収納空間７４が形成されている。
【００２２】
このような第１ハーネスラグ７０を第１側カバー１３ａ及び第１側板１１ａに取り付けるには、第１側カバー１３ａに形成された第２凹部７１ｂに第１ハーネスラグ７０の本体部７２ａの一部分（図４左側部分）を係合させ、ねじ部材７３によって第１ハーネスラグ７０を第１側カバー１３ａに固定する。第１側カバー１３ａに形成された第２凹部７１ｂに第１ハーネスラグ７０の本体部７２ａを係合させてねじ止めした状態で、第１側板１１ａの第１凹部７１ａが第２凹部７１ｂに係合している第１ハーネスラグ７０の本体部７２ａと対向する位置になるように第１側カバー１３ａを回転させて、第１側カバー１３ａの第１側板１１ａに対する装着位置を合わせ、第１ハーネスラグ７０の本体部７２ａの開口側突出部分（図４右側部分）を第１側板１１ａに形成された第１凹部７１ａに係合させ、第１側カバー１３ａを第１側板１１ａに図示しない複数のねじ部材によって固定する。この結果、第１ハーネスラグ７０は、第１側板１１ａに形成された第１凹部７１ａと第１側カバー１３ａに形成された第２凹部７１ｂとで囲まれる装着凹部に、下部の本体部７２ａが係合するようになっている。
【００２３】
一方、第２側板１１ｂは、図２及び図３に示すように、上方及び第２側カバー１３ｂと対向する側方が開口する凹部８１を有する略円筒状の部材であり、第２側カバー１３ｂは、第２側板１１ｂの側方を覆う略円板状の部材である。第２ハーネスラグ８０は、図３に示すように、第２側板１１ｂの凹部８１に係合する本体部８２ａと、本体部８２ａの上部に第２側板１１ｂ及び第２側カバー１３ｂの上方に露出する位置に設けられハーネスを着脱自在に係止可能な係止部８２ｂとを有している。また、凹部８１は、第２側カバー１３ｂと対向する部分の外形が略矩形となるように形成された略直方体形状の切り欠きである。そして、本体部８２ａは、外形が略矩形の凹部８１に係合可能な外形が略矩形の柱状部分である。また、係止部８２ｂは、側部を貫通する略円形の貫通孔である。さらに、図３に示すように、本体部８２ａの２箇所には、側部を貫通する貫通孔８２ｃが形成されており、凹部８１に本体部８２ａを係合した状態で、本体部８２ａの開口側（図３右側）側部から貫通孔８２ｃに挿入された２本のねじ部材８３によって第２ハーネスラグ８０が第２側板１１ｂに固定されている。また、第２側カバー１３ｂには、第２側カバー１３ｂを第２側板１１ｂに装着したときに、ねじ部材８３の頭部を収納可能な図示しない収納空間が形成されている。
【００２４】
このような第２ハーネスラグ８０を第２側板１１ｂに取り付けるには、第２側板１１ｂに形成された凹部８１に第２ハーネスラグ８０の本体部８２ａの全部を係合させ、ねじ部材８３によって第２ハーネスラグ８０を第２側板１１ｂに固定する。この状態で、第２側カバー１３ｂを第２側板１１ｂに図示しない複数のねじ部材によって固定するようになっている。
【００２５】
円筒部１４は、図１及び図２に示すように、第２側板１１ｂの側方に装着される側面視略円形の筒状部材である。膨出部１５は、円筒部１４と一体成形され、内部に円筒部１４と連通する空間を有するように軸方向外方（図２右側）に突出して形成されている。膨出部１５は、小円弧部と大円弧部とを有する側面視略雨滴形状の部材であり、下部の大円弧部が円筒部１４より下方に突出するように形成されている。膨出部１５には、ドラグ操作部材２及びハンドル３が外方に露出するように装着されている。
【００２６】
膨出部１５のドラグ操作部材２の下方には、図１及び図２に示すように、ハンドル３装着用の突出筒１６が外方に突出して形成されている。突出筒１６の内部には、図２に示すように、スプール４の回転軸であるスプール軸５に平行に筒状のハンドル軸３１が配置されている。ハンドル軸３１は、図２に示すように、突出筒１６の両端に配置された２つの軸受３２、３３により突出筒１６に回転自在に片持ち支持されており、一方の軸端は軸受３２より内側に突出して配置されている。ハンドル軸３１の軸受３２側の突出部には、メインギア６０が回転自在に装着されている。メインギア６０の円板部には、１対の回転伝達孔６０ａが形成されている。メインギア６０は、ワッシャ５９を介して軸受３２に接触している。ハンドル軸３１の他方の軸端には、ハンドル３が回転不能に装着されている。
【００２７】
軸受３２、３３の間にはローラ型の第１ワンウェイクラッチ６２が配置されている。第１ワンウェイクラッチ６２は、ハンドル軸３１の糸巻き取り方向の正転だけを許容し糸繰り出し方向の逆転を禁止する。また、ハンドル軸３１の一方の軸端には、本発明の一実施形態による爪式の第２ワンウェイクラッチ６３が配置されている。第２ワンウェイクラッチ６３もハンドル軸３１の逆転を禁止するものである。これらの第１及び第２ワンウェイクラッチ６２、６３は、主にスプール４の糸繰り出し方向の回転を制動する後述するドラグ機構６を動作させるために使用される。ハンドル軸３１の軸受３２側の軸端部には、断面がたとえば矩形などの非円形に形成された回転係止部が形成されている。
【００２８】
ハンドル３は、図２に示すように、ハンドル軸３１の他方の端部に固定されている。ハンドル３は、ハンドル軸３１の先端に固定されたハンドルアーム４０と、ハンドルアーム４０の先端に回動自在に支持されたハンドル把手４１とを備えている。ハンドルアーム４０は、ねじ部材４２によりハンドル軸３１の先端にハンドル軸３１相対回転不能に固定されている。ハンドル把手４１は、力を入れて握りやすくするために、外形が丸みを帯びた略Ｔ字形状になるように形成されている。
【００２９】
スプール４は、図２に示すように、筒状の糸巻胴部４ａと、糸巻胴部４ａの両側に形成され糸巻胴部４ａより大径の第１フランジ部４ｂ及び第２フランジ部４ｃとを有している。スプール４は軸受２０ａ、２０ｂによりスプール軸５に回転自在に支持されている。また、スプール４のハンドル３側には、スプール４の糸繰り出し方向の回転を制動するドラグ機構６が設けられている。また、スプール４の第１側カバー１３ａ側には、スプール４を制動する遠心制動機構１８が設けられている。また、スプール４と第１側カバー１３ａとの間にはスプール発音機構１９が設けられている。スプール発音機構１９はスプール４の回転に応じて発音する発音状態と発音しない無音状態とに切り換え可能である。
【００３０】
第２フランジ部４ｃは、図２に示すように、第１フランジ部４ｂより大径となるように形成されている。第２フランジ部４ｃは、糸巻胴部４ａ側がドラグ機構６を構成する後述する第１制動部材２５より小径となるように形成された円筒状の小径部４ｄと、最外周側が第１制動部材２５より大径となるように形成された円筒状の大径部４ｅとを有している。小径部４ｄは、大径部４ｅより小径になるように大径部４ｅと一体成形され、大径部４ｅと糸巻胴部４ａの端部との間に段差を生成するように設けられている。ここでは、糸巻胴部４ａの外周に釣り糸を巻き付けていくが、小径部４ｄの段差により小径部４ｄの最外径まで釣り糸を巻き付けることが可能である。また、第２側板１１ｂは、大径部４ｅと小径部４ｄとの間を覆うように配置されており、その先端部は小径部４ｄに近接するように径方向内方に延びている。このため、小径部４ｄより外周に釣り糸が巻き付けられるのを防止できるとともに、釣り糸が軸方向外方へ移動するのを規制できる。
【００３１】
小径部４ｄの径は、図２に示すように、第１フランジ部４ｂの径と略同径になるように形成されている。大径部４ｅの径は、小径部４ｄの径の１１０％以上１４０％以下の範囲であり、本実施形態では小径部４ｄの径の１２０％〜１３０％となっている。また、大径部４ｅの径は、第１側板１１ａ及び第１側カバー１３ａの径と略同径になるように形成されている。また、第１制動部材２５の径は、小径部４ｄの径の９０％以上の範囲であり、本実施形態では小径部４ｄの径の１３０％〜１４０％となっている。また、糸巻胴部４ａの外径は、小径部４ｄの径の３０％〜４０％となっている。
【００３２】
ドラグ機構６は、図２に示すように、スプール軸５に装着されたスプール４の糸繰り出し方向への回転に加えられる制動力を変更、調整するためのものである。ドラグ機構６は、図２に示すように、ドラグ操作部材２と、ドラグ操作部材２の内周部に設けられた第１カム部材２１と、第１カム部材２１に接触して配置された第２カム部材２２と、第２カム部材２２に相対回転可能に装着されスプール軸５を外方（図２右側）に引っ張るドラグ調整部材２７と、ドラグ調整部材２７を第２カム部材２２に対して軸方向に抜け止めする抜け止め部材２３と、スプール４を軸方向内方に付勢するたとえば４枚の皿ばねからなる第１付勢部材２４ａ（図２参照）及びコイルばねからなる第２付勢部材２４ｂと、ドラグ調整部材２７を軸方向外方（図２右側）に付勢するコイルばねからなる第３付勢部材２４ｃと、スプール４の軸方向外方（図２右側）に固定された第１制動部材２５と、第１制動部材２５が接触可能に配置された第２制動部材２６とを有している。なお、図２では、スプール軸５の上半分が最大ドラグ作動時の軸方向位置を示し、下半分がドラグ力減少位置を示している。
【００３３】
スプール軸５は、図２に示すように、リール本体１に軸方向移動可能かつ相対回転不能に支持された軸部材である。スプール軸５の外周には、スプール４を回転自在に装着するための軸受２０ａ、２０ｂと、後述する第２制動部材２６を回転可能に支持するための軸受２０ｃが装着されている。軸受２０ａ、２０ｂの間のスプール軸５外周には、図２及び図７に示すように、スプール４を軸方向内方（図２左側）に付勢するコイルばねからなる第２付勢部材２４ｂが装着されている。また、軸受２０ａの軸方向内方（図２左側）のスプール軸５外周には、図２に示すように、スプール４を軸方向内方（図２左側）に付勢する皿ばねからなる第１付勢部材２４ａが装着されている。第１付勢部材２４ａは、第２付勢部材２４ｂに比して付勢力が強くなっている。このため、スプール軸５が軸方向に移動すると、まず第１付勢部材２４ａが作用し、次に第２付勢部材２４ｂが作用するようになっている。
【００３４】
また、第２側カバー１３ｂの内周部には軸受２０ｄが装着されており、スプール軸５外周に装着されたピニオンギア６１の外周部を支持している。ピニオンギア６１は、図２に示すように、ハンドル軸３１に固定されたメインギア６０と噛み合っている。ピニオンギア６１の先端部は後述する第２制動部材２６の内周側に固定されている。この結果、ハンドル３からの回転はメインギア６０、ピニオンギア６１、第２制動部材２６を介して第１制動部材２５に伝達され、第１制動部材２５からスプール４に伝達され、スプール４が回転する。
【００３５】
このような両軸受リールでは、第１ハーネスラグ７０は、第１側板１１ａに形成された第１凹部７１ａと第１側カバー１３ａに形成された第２凹部７１ｂとで囲まれる装着凹部に、下部の本体部７２ａが係合するようになっている。ここでは、略円板状の第１側カバー１３ａを略円筒状の第１側板１１ａに装着するときには、ねじ位置を合わせるために第１側カバー１３ａの第１側板１１ａに対する位置決めを行う必要があるが、第１側板１１ａに形成された第１凹部７１ａと第１側カバー１３ａに形成された第２凹部７１ｂとで囲まれる装着凹部に、第１ハーネスラグ７０の下部の本体部７２ａを係合させることによって、第１ハーネスラグ７０が第１側カバー１３ａ及び第１側板１１ａの両方に対してがたつきが発生しにくくなり、このため、第１側カバー１３ａの第１側板１１ａに対する位置決めを確実に行うことができる。
【００３６】
〔他の実施形態〕
（ａ）  前記実施形態では、トローリング用の中型リールに本発明を採用したが、これに限定されるものではなく、ハーネスラグを有する全ての両軸受リールに本発明を適用できる。
【００３７】
（ｂ）  前記実施形態では、第１側カバー１３ａに形成された第２凹部７１ｂに第１ハーネスラグ７０の本体部７２ａの一部分を係合させ、ねじ部材７３によって第１ハーネスラグ７０を第１側カバー１３ａに固定していたが、図５に示すように、第１側板１１ａに形成された第１凹部７１ａに第１ハーネスラグ７０の本体部７２ａの一部分（図５右側部分）を係合させ、ねじ部材７３によって第１ハーネスラグ７０を第１側板１１ａに固定してもよい。なお、この場合には、ねじ部材７３の頭部を収納可能な収納空間７４は、第１側カバー１３ａ側に形成されている。
【００３８】
（ｃ）  前記実施形態では、第１ハーネスラグ７０は、所定の位置に移動不能に固定されていたが、図６及び図８に示す突出位置と、図７及び図９に示す収納位置とに変更できるように上下方向に移動可能な構成にしてもよい。図６及び図８に示す突出位置では、係止部７２ｂが第１側カバー１３ａ及び第１側板１１ａより上方に突出した位置で下側の貫通孔７２ｃにねじ部材７３を挿入固定している。図７及び図９に示す収納位置では、係止部７２ｂが第１側カバー１３ａ及び第１側板１１ａより下方（第１側カバー１３ａ及び第１側板１１ａの内側）の位置で上側の貫通孔７２ｃにねじ部材７３を挿入固定している。ここでは、リールを使用しないときには、第１ハーネスラグ７０を図７及び図９に示す収納位置とすることにより、リールをコンパクトに収納できる。なお、第２ハーネスラグ８０も同様の構成にすることにより、さらにリールをコンパクトに収納できる。
【００３９】
（ｄ）  前記他の実施形態（ｃ）では、第１ハーネスラグ７０を上下方向に移動可能な構成にしていたが、図１０及び図１１に示すように、右側のねじ部材７３を揺動軸として、図１０に示す突出位置と、図１１に示す収納位置とに変更できるように斜め方向に揺動可能な構成にしてもよい。図１０に示す突出位置では、係止部７２ｂが第１側カバー１３ａ及び第１側板１１ａより上方に突出した位置で下側の貫通孔７２ｃに左側のねじ部材７３を挿入固定している。図１１に示す収納位置では、係止部７２ｂが第１側カバー１３ａ及び第１側板１１ａより下方（第１側カバー１３ａ及び第１側板１１ａの内側）の位置で上側の貫通孔７２ｃに左側のねじ部材７３を挿入固定している。ここでは、リールを使用しないときには、第１ハーネスラグ７０を図１１に示す収納位置とすることにより、リールをコンパクトに収納できる。
【図面の簡単な説明】
【００４０】
【図１】本発明の一実施形態による両軸受リールの斜視図。
【図２】前記両軸受リールの断面図。
【図３】前記両軸受リールのフレーム、第１側カバー及び第２側カバー、第１ハーネスラグ及び第２ハーネスラグの分解斜視図。
【図４】前記第１ハーネスラグ取り付け部分の拡大縦断面図。
【図５】他の実施形態の図４に相当する図。
【図６】他の実施形態の図４に相当する図。
【図７】他の実施形態の図４に相当する図。
【図８】他の実施形態による前記第１ハーネスラグ取り付け部分の拡大横断面図。
【図９】他の実施形態の図８に相当する図。
【図１０】他の実施形態の図８に相当する図。
【図１１】他の実施形態の図８に相当する図。
【符号の説明】
【００４１】
１  リール本体
３  ハンドル
４  スプール
１０  フレーム
１１ａ  第１側板（本願発明のリール本体の一例）
１１ｂ  第２側板
１２  連結部
１３ａ  第１側カバー（本願発明の側カバーの一例）
１３ｂ  第２側カバー
１４  円筒部
１５  膨出部
７０  第１ハーネスラグ（本願発明のハーネスラグの一例）
７１ａ  第１凹部（本願発明の第１凹部の一例）
７１ｂ  第２凹部（本願発明の第２凹部の一例）
７２ａ  本体部（本願発明の本体部の一例）
７２ｂ  係止部（本願発明の係止部の一例）
７２ｃ  貫通孔
７３  ねじ部材
７４  収納空間
８０  第２ハーネスラグ
８１  凹部
８２ａ  本体部
８２ｂ  係止部
８２ｃ  貫通孔
８３  ねじ部材
【図１】
2008295329.tif 000003
【図２】
2008295329.tif 000004
【図３】
2008295329.tif 000005
【図４】
2008295329.tif 000006
【図５】
2008295329.tif 000007
【図６】
2008295329.tif 000008
【図７】
2008295329.tif 000009
【図８】
2008295329.tif 000010
【図９】
2008295329.tif 000011
【図１０】
2008295329.tif 000012
【図１１】
2008295329.tif 000013